(57)【特許請求の範囲】
【請求項１】
機器本体の前面に設けられる前面パネルと、前記前面パネルを前記機器本体に着脱自在に保持するための保持機構と、を備える電子機器において、
前記保持機構は、前記前面パネルと前記機器本体の何れか一方の両端部に形成された係合手段と、前記前面パネルと前記機器本体の何れか他方の両端部に形成された被係合手段と、を有し、
各前記被係合手段は、前記両端部から互いに対向する方向に向かって付勢されるロック部材を備え、当該ロック部材には接続端子が設けられており、
各前記係合手段は、前記ロック部材と係合する係合壁を備え、当該係合壁には接続端子が設けられており、
前記ロック部材が前記係合壁に係合されることにより前記接続端子を介して前記前面パネルと前記機器本体とが電気的に接続され、且つ、前記ロック部材が前記両端部から互いに対向する方向に向かって付勢されることにより前記前面パネルが前記機器本体に保持されることを特徴とする電子機器。
【請求項２】
前記ロック部材が前記係合壁に係合されることにより前記接続端子を介して前記機器本体から前記前面パネルに電源が供給されることを特徴とする請求項１に記載の電子機器。
【請求項３】
前記前面パネルには、使用者から所定の操作指示を受け付けるための操作部材が設けられ、
前記ロック部材が前記係合壁に係合されることにより前記接続端子を介して前記操作指示に応じた電気信号が前記前面パネルから前記機器本体に伝送されることを特徴とする請求項１または２に記載の電子機器。
【請求項４】
前記前面パネルには、所定の内容を表示するディスプレイが設けられ、
前記ロック部材が前記係合壁に係合されることにより前記接続端子を介して前記ディスプレイに表示すべき内容に応じた電気信号が前記機器本体から前記前面パネルに伝送されることを特徴とする請求項１または２に記載の電子機器。
【請求項５】
前記前面パネルから前記機器本体に近距離無線通信により電気信号を伝送する通信手段をさらに備え、
前記前面パネルには、使用者から所定の操作指示を受け付けるための操作部材が設けられ、
前記操作指示に応じた電気信号が近距離無線通信により前記前面パネルから前記機器本体に伝送されることを特徴とする請求項１または２に記載の電子機器。
【請求項６】
前記機器本体から前記前面パネルに近距離無線通信により電気信号を伝送する通信手段をさらに備え、
前記前面パネルには、所定の内容を表示するディスプレイが設けられ、
前記ディスプレイに表示すべき内容に応じた電気信号が近距離無線通信により前記機器本体から前記前面パネルに伝送されることを特徴とする請求項１または２に記載の電子機器。
【請求項７】
機器本体に電気的に接続され前記機器本体の前面を覆う状態とする位置とその前面を開放状態とする位置とに亘って移動可能な平板と、前面パネルと、前記前面パネルを前記平板に着脱自在に保持するための保持機構と、を備える電子機器において、
前記保持機構は、前記前面パネルと前記平板の何れか一方の両端部に形成された係合手段と、前記前面パネルと前記平板の何れか他方の両端部に形成された被係合手段と、を有し、
各前記被係合手段は、前記両端部から互いに対向する方向に向かって付勢されるロック部材を備え、当該ロック部材には接続端子が設けられており、
各前記係合手段は、前記ロック部材と係合する係合壁を備え、当該係合壁には接続端子が設けられており、
前記ロック部材が前記係合壁に係合されることにより前記接続端子を介して前記前面パネルと前記機器本体とが電気的に接続され、且つ、前記ロック部材が前記両端部から互いに対向する方向に向かって付勢されることにより前記前面パネルが前記機器本体に保持されることを特徴とする電子機器。
【発明の詳細な説明】
【０００１】
【発明の属する技術分野】
本発明は、前面パネルが機器本体に対し着脱可能となる電子機器に関し、特に、前面パネルと機器本体との電気的接続を確実ならしめる技術に関する。
【０００２】
【従来の技術】
従来より、操作釦やディスプレイが設けられた前面パネルを、装置本体に対し着脱可能とする車載用ＡＶ（オーディオ／ビジュアル）装置が知られている。図８は、従来の車載用ＡＶ装置を斜め前面から見た構造の概念図である。図８に示すように、車載用ＡＶ装置３００の装置本体８１には、車載用ＡＶ装置３００の前面を覆う状態とする位置（図８に示す（Ａ））と、その前面を開放状態とする位置（図８に示す（Ｂ））に亘って移動自在な平板８３が設けられている。また、前面パネル８２は、図８に示す（Ｂ）および（Ｃ）に示すように、前面パネル８２の裏面側の長手方向両端部および平板８３の前面側の長手方向両端部に形成された保持機構８４により平板８３に着脱自在に保持されている。また、平板８３の前面側および前面パネル８２の裏面側には、それぞれ、デタッチコネクタ８３ａおよび８２ａが設けられている。デタッチコネクタ８３ａとデタッチコネクタ８２ａとが連結されることにより、装置本体８１から前面パネル８２へ電源が供給されるとともに、装置本体８１から前面パネル８２との間の電気信号の伝送を行うことができる。
【０００３】
【発明が解決しようとする課題】
しかしながら、従来の車載用ＡＶ装置３００においては、保持機構８４が前面パネル８２の長手方向両端部および平板８３の長手方向両端部に形成されているため、前面パネル８２および平板８３の双方に反りが生じるという問題があった。
【０００４】
例えば、図９は、前面パネル８２に設けられたデタッチコネクタ８２ａと平板８３のデタッチコネクタ８３ａとの連結部を横から見た概念図である。図９に示すように、前面パネル８２については凸状に、平板８３については凹状に反りが生じ、その結果、接点圧が減少し、デタッチコネクタ８３ａとデタッチコネクタ８２ａの中央部付近で、コネクタ端子に接触不良が生じることになる。これにより、装置本体８１から前面パネル８２へ電源が供給および、装置本体８１から前面パネル８２との間の電気信号の伝送に支障を生じるという問題があった。
【０００５】
今後も前面パネル８２の表示や操作指示に係る情報量は多くなるため、デタッチコネクタにおけるコネクタ端子数の増加は避けられず、かかる増加により、上記問題がさらに顕著となってくる。
【０００６】
本発明は、以上の問題に鑑みてなされたものであり、前面パネルに反りが生じた場合であっても、前面パネルに確実に電源を供給できるとともに、前面パネルと装置本体との間の電気信号の伝送を確実に行うことが可能な電子機器を提供することを目的とする。
【０００７】
【課題を解決するための手段】
上記課題を解決するため、請求項１に記載の発明は、機器本体の前面に設けられる前面パネルと、前記前面パネルを前記機器本体に着脱自在に保持するための保持機構と、を備える電子機器において、前記保持機構は、前記前面パネルと前記機器本体の何れか一方の両端部に形成された係合手段と、前記前面パネルと前記機器本体の何れか他方の両端部に形成された被係合手段と、を有し、各前記被係合手段は、前記両端部から互いに対向する方向に向かって付勢されるロック部材を備え、当該ロック部材には接続端子が設けられており、各前記係合手段は、前記ロック部材と係合する係合壁を備え、当該係合壁には接続端子が設けられており、前記ロック部材が前記係合壁に係合されることにより前記接続端子を介して前記前面パネルと前記機器本体とが電気的に接続され、且つ、前記ロック部材が前記両端部から互いに対向する方向に向かって付勢されることにより前記前面パネルが前記機器本体に保持されるように構成する。
【０００８】
請求項１に記載の発明によれば、前記ロック部材が前記係合壁に係合されることにより前記接続端子を介して前記前面パネルと前記機器本体とが電気的に接続され、且つ、前記ロック部材が前記両端部から互いに対向する方向に向かって付勢されることにより前記前面パネルが前記機器本体に保持されるように構成したので、前面パネルに反りが生じた場合であっても、かかる係合による付勢力によって前面パネルと機器本体とを、接触不良を生じることなく、確実に電気的に接続することができる。
【０００９】
請求項２に記載の発明は、請求項１に記載の電子機器において、前記ロック部材が前記係合壁に係合されることにより前記接続端子を介して前記機器本体から前記前面パネルに電源が供給されるように構成する。
【００１０】
請求項２に記載の発明によれば、前面パネルに反りが生じた場合であっても、前記ロック部材が前記係合壁に係合されることによる付勢力によって前面パネルと機器本体とを、接触不良を生じることなく、確実に電気的に接続することができるので、前面パネルに確実に電源を供給することができる。
【００１１】
請求項３に記載の発明は、請求項１または２に記載の電子機器において、前記前面パネルには、使用者から所定の操作指示を受け付けるための操作部材が設けられ、前記ロック部材が前記係合壁に係合されることにより前記接続端子を介して前記操作指示に応じた電気信号が前記前面パネルから前記機器本体に伝送されるように構成する。
【００１２】
請求項３に記載の発明によれば、前面パネルに反りが生じた場合であっても、前記ロック部材が前記係合壁に係合されることによる付勢力によって前面パネルと機器本体とを、接触不良を生じることなく、確実に電気的に接続することができるので、前面パネルから機器本体への操作指示に応じた電気信号の伝送を確実に行うことができる。
【００１３】
請求項４に記載の発明は、請求項１または２に記載の電子機器において、前記前面パネルには、所定の内容を表示するディスプレイが設けられ、前記ロック部材が前記係合壁に係合されることにより前記接続端子を介して前記ディスプレイに表示すべき内容に応じた電気信号が前記機器本体から前記前面パネルに伝送されるように構成する。
【００１４】
請求項４に記載の発明によれば、前面パネルに反りが生じた場合であっても、前記ロック部材が前記係合壁に係合されることによる付勢力によって前面パネルと機器本体とを、接触不良を生じることなく、確実に電気的に接続することができるので、機器本体から前面パネルへのディスプレイに表示すべき内容に応じた電気信号の伝送を確実に行うことができる。
【００１５】
請求項５に記載の発明は、請求項１または２に記載の電子機器において、前記前面パネルから前記機器本体に近距離無線通信により電気信号を伝送する通信手段をさらに備え、前記前面パネルには、使用者から所定の操作指示を受け付けるための操作部材が設けられ、前記操作指示に応じた電気信号が近距離無線通信により前記前面パネルから前記機器本体に伝送されるように構成する。
【００１６】
請求項５に記載の発明によれば、前面パネルに反りが生じた場合であっても、例えば、被係合部が係合部に係合されることによる付勢力によって前面パネルに確実に電源を供給するとともに、近距離無線通信により前面パネルから機器本体への操作指示に応じた電気信号の伝送を確実に行うことができる。
【００１７】
請求項６に記載の発明は、請求項１または２に記載の電子機器において、前記機器本体から前記前面パネルに近距離無線通信により電気信号を伝送する通信手段をさらに備え、前記前面パネルには、所定の内容を表示するディスプレイが設けられ、前記ディスプレイに表示すべき内容に応じた電気信号が近距離無線通信により前記機器本体から前記前面パネルに伝送されるように構成する。
【００１８】
請求項６に記載の発明によれば、前面パネルに反りが生じた場合であっても、例えば、被係合部が係合部に係合されることによる付勢力によって前面パネルに確実に電源を供給するとともに、近距離無線通信により機器本体から前面パネルへのディスプレイに表示すべき内容に応じた電気信号の伝送を確実に行うことができる。
【００１９】
請求項７に記載の発明は、機器本体に電気的に接続され前記機器本体の前面を覆う状態とする位置とその前面を開放状態とする位置とに亘って移動可能な平板と、前面パネルと、前記前面パネルを前記平板に着脱自在に保持するための保持機構と、を備える電子機器において、前記保持機構は、前記前面パネルと前記平板の何れか一方の両端部に形成された係合手段と、前記前面パネルと前記平板の何れか他方の両端部に形成された被係合手段と、を有し、各前記被係合手段は、前記両端部から互いに対向する方向に向かって付勢されるロック部材を備え、当該ロック部材には接続端子が設けられており、各前記係合手段は、前記ロック部材と係合する係合壁を備え、当該係合壁には接続端子が設けられており、前記ロック部材が前記係合壁に係合されることにより前記接続端子を介して前記前面パネルと前記機器本体とが電気的に接続され、且つ、前記ロック部材が前記両端部から互いに対向する方向に向かって付勢されることにより前記前面パネルが前記機器本体に保持されるように構成する。
【００２０】
請求項７に記載の発明によれば、前記ロック部材が前記係合壁に係合されることにより前記接続端子を介して前記前面パネルと前記機器本体とが電気的に接続され、且つ、前記ロック部材が前記両端部から互いに対向する方向に向かって付勢されることにより前記前面パネルが前記機器本体に保持されるように構成したので、前面パネルに反りが生じた場合であっても、かかる係合による付勢力によって前面パネルと機器本体とを、接触不良を生じることなく、確実に電気的に接続することができる。
【００２３】
【発明の実施の形態】
以下、本発明の好適な実施の形態を添付図面に基づいて説明する。なお、以下の説明は、車載用ＡＶ装置に対して本発明にかかる電子機器を適用した場合の実施形態である。
【００２４】
先ず、本実施形態における車載用ＡＶ装置の概要構成について説明する。
【００２５】
図１は、本実施形態における車載用ＡＶ装置１００を斜め前面から見た構造の概念図であり、（Ａ）は、前面パネル１が、機器本体としての装置本体２の平板３（図示せず）に装着保持されて、その装置本体２の前面２０を覆う状態とする位置にある状態を示し、（Ｂ）は、前面パネル１が、装置本体２の平板３（図示せず）に装着保持されたままの状態で、その装置本体２の前面２０を開放状態とする位置にある状態を示し、（Ｃ）は、前面パネル１が、平板３への保持が解除されて装置本体２から取り出された状態を示している。
【００２６】
図１（Ｃ）に示す平板３は、装置本体２の前面２０を覆う状態とする位置（図１（Ａ）に示す状態となる）と、その前面２０を開放状態とする位置（図１（Ｂ）、（Ｃ）に示す状態となる）とに亘って移動可能となるように装置本体２の前面２０側に設けられており、電気的にも装置本体２に接続されている。また、装置本体２の前面２０側には、例えば、音楽等が記録されたＣＤ−ＲＯＭやＤＶＤ−ＲＯＭなどの記録媒体を挿入するための挿入口２１が設けられている。なお、平板３が、装置本体２の前面２０を覆う状態とする位置と、その前面２０を開放状態とする位置とに亘って移動するための機構の詳細は、本発明と直接の関係がないので省略する。
【００２７】
平板３には、前面パネル１が、当該平板３の前面側の長手方向両端部に形成された被係合手段としての被係合部３０と、当該前面パネル１の裏面側の長手方向両端部に形成された係合手段としての係合部１０と、からなる保持機構により保持される。
【００２８】
前面パネル１の表面側には、使用者から所定の操作指示を受け付けるため操作部材としての操作釦１ａが複数設けられ、また、所定の内容、例えば、曲名などを表示するディスプレイ１ｂ（例えば、液晶ディスプレイ）が設けられている。
【００２９】
次に、被係合部３０および係合部１０からなる保持機構の構成および機能について説明する。
【００３０】
図２は、平板３に形成された被係合部３０を示す図であり、（Ａ）は、図１（Ｃ）の破線で囲んだＡ部分の拡大図、（Ｂ）は、図２（Ａ）に示される平板３を裏側から見た図である。
【００３１】
なお、被係合部３０は、平板３の前面側の長手方向両端部に形成されているが、これらは同様の構成であるので、当該長手方向両端部の一方の被係合部３０について説明する。また、係合部１０も同様に、長手方向両端部の一方について説明する。
【００３２】
被係合部３０は、図２（Ａ）および（Ｂ）に示すように、連結部３１によって一体的に連結されたロック部材３２、３３と、それらのロック部材３２、３３を図中Ｘ方向に付勢するばね３４により構成されている。ロック部材３２、３３は、平板３の平面に沿ってその長手方向と垂直な方向に配列して設けられ、平板３の両端部に形成された切欠孔３５、３６に貫装されている。
【００３３】
ばね３４の中央部は、平板３の裏面から突出する固定ピン３７に巻回され、その両端部３８、３９は、ロック部材３２、３３の下部に接合されている。つまり、ばね３４は、その固定ピン３７に巻回された中央部を支点として、各々ロック部材３２、３３を、図２（Ａ）に示す矢印Ｘ方向、平板３の長手方向であってその内側に向って付勢している。
【００３４】
また、ロック部材３２、３３の平板３の表面側に位置する上部には、各々凸形状のロック突出部３２ａ、３３ａが形成されている。それらのロック突出部３２ａ、３３ａの先端部が平板３の中央方向に向けられ、それらが平行になるようにして配されている。
【００３５】
そして、ロック突出部３２ａ、３３ａの裏面には、接続端子３２ｂ、３３ｂが設けられている。この接続端子３２ｂ、３３ｂは、それぞれ、金属多芯配線３２ｃ、３３ｃを介して装置本体２内部に搭載された電気回路に接続されている。なお、平板３の前面側の長手方向両端部には、計４つのロック突出部があるが、これらの何れにも接続端子が設けられていることになる。
【００３６】
図３は、ロック突出部３２ａに設けられた接続端子３２ｂを示す図である。図３に示すように、接続端子３２ｂは、２つの電源電極線（正極および負極）５１と、複数の信号電極線（金属プリント線）５２とからなり、それぞれの電極線間は絶縁されている。電源電極線（正極および負極）５１は、装置本体２から前面パネル１に電源を供給するためのものである。複数の信号電極線５２は、装置本体２から前面パネル１に、または、前面パネル１から装置本体２に所定の電気信号を伝送するためのものである。なお、電源電極線（正極および負極）５１は、計４つのロック突出部のうち、何れか１つのロック突出部に設ければよい。また、例えば、ロック突出部３２ａに正極の電源電極線５１を設け、ロック突出部３３ａに負極の電源電極線５２を設けるようにしてもよい。なお、上記接続端子は、例えば、圧着、溶着等の方法で、ロック突出部に形成することができる。
【００３７】
図４は、前面パネル１に形成された係合部１０を示す図であり、（Ａ）は、図１（Ｃ）において矢印Ｙ方向に見た図であり、（Ｂ）は、図４（Ａ）におけるＡ−Ａ断面の一部を示す図である。
【００３８】
係合部１０は、図４（Ａ）および（Ｂ）に示すように、係合溝１１、１２から構成されており、係合溝１１はロック部材３２に、係合溝１２はロック部材３３に、それぞれ対応することになる。
【００３９】
係合溝１１は、前面パネル１の裏面側に形成された凹部１３の側面部１３ａに平行となる方向に、凹部１３の底面部１３ｂから立設しロック部材３２と係合する高さＨの係合壁１４と、側面部１３ａと垂直な方向であってかつその一方側部が係合壁１４の一方側部と接合する（図４（Ａ）中、接合部ａで示す部分）ように底面部１３ｂから立説しその係合壁１４よりも低い高さｈを有する係止壁１５と、係合壁１４の他方側部とその一方側部が接合する（図４（Ａ）中、接合部ｂで示す部分）ように底面部１３ｂから立設し係合壁１４と同じ高さＨを有する傾斜壁１６と、を備えている。また、傾斜壁１６の他方側部と係止壁１５の他方側部は、それぞれ、凹部１３の側面部１３ａと接合している（図４（Ａ）中、接合部ｃ、ｄで示す部分）。
【００４０】
また、係合溝１２は、前面パネル１の裏面側に形成された凹部１３の側面部１３ａと平行となる方向に、凹部１３の底面部１３ｂから立設しロック部材３３と係合する高さＨの係合壁１７と、側面部１３ａと垂直となる方向であって係合壁１７の一方側部とが接合する（図４（Ａ）中、接合部ｅで示す部分）ように底面部１３ｂから立設し係合壁１７の高さＨよりも低い高さｈを有する係止壁１８とを備えている。その係止壁１８の他方側部は、凹部１３の側面部１３ａと接合している（図４（Ａ）中、接合部ｆで示す部分）。
【００４１】
ここで、係合溝１１および１２は、前面パネル１の裏面に沿ってその長手方向と垂直な方向であって、係合溝１１の傾斜壁１６と係合溝１２の係止壁１８とが互いに近設するようにして配列されている。また、接合部ｂと接合部ｄとは互いに対向する位置ではなく、接合部ｄを接合部ｂより係止壁１８寄りに位置させている。つまり、それらの接合部の位置をずらすことにより、傾斜壁１６は、係止壁１８から離れる方向に向って傾斜するようにして底面部１３ｂから立設されている。
【００４２】
そして、係合溝１１における係合壁１４および、係合溝１２における係合壁１７には、それぞれ、金属からなる接続端子１４ａ、１７ａが設けられている。この接続端子１４ａ、１７ａは、それぞれ、金属多芯配線１４ｂ、１７ｂを介して前面パネル１における電気回路に接続されている。なお、前面パネル１の前面側の長手方向両端部には、計４つの係合壁があるが、これらの何れにも接続端子が設けられていることになる。
【００４３】
図５は、係合壁１４に設けられた接続端子１４ａを示す図である。図５に示すように、接続端子１４ａは、２つの電源電極線（正極および負極）６１と、複数の信号電極線６２とからなり、それぞれの電極線間は絶縁されている。
【００４４】
２つの電源電極線（正極および負極）６１は、上述した平板３のロック突出部３３ａの接続端子３２ｂにおける２つの電源電極線（正極および負極）５１に対応しており、平板３に形成された被係合部３０が前面パネル１に形成された係合部１０に係合する場合に、電源電極線（正極および負極）６１が電源電極線（正極および負極）５１に当接されることになる。
【００４５】
また、複数の信号電極線６２は、それぞれ、上述した平板３のロック突出部３３ａの接続端子３２ｂにおける信号電極線５２に対応しており、平板３に形成された被係合部３０が前面パネル１に形成された係合部１０に係合する場合に、信号電極線６２が信号電極線５２に当接されることになる。なお、電源電極線（正極および負極）６１および複数の信号電極線６２は、他の係合壁にも、ロック突出部における接続端子に対応して設けられることになる。なお、上記接続端子は、例えば、圧着、溶着等の方法で、係合壁に形成することができる。
【００４６】
図６は、平板３に形成された被係合部３０が前面パネル１に形成された係合部１０に係合した状態を示す図であり、（Ａ）は、図１（Ｂ）において矢印Ｙ方向に見た図であり、（Ｂ）は、図６（Ａ）におけるＡ−Ａ断面の一部を示す図である。
【００４７】
平板３に形成された被係合部３０が前面パネル１に形成された係合部１０に係合されることにより、前面パネル１が、装置本体２の平板３に保持されることになる。
【００４８】
より具体的には、図６（Ａ）および（Ｂ）に示すように、被係合部３０におけるのロック部材３２のロック突出部３２ａが、係合部１０における係合溝１１の係合壁１４に、被係合部３０におけるのロック部材３３のロック突出部３３ａが、係合部１０における係合溝１２の係合壁１７に、それぞれ係合され、さらに、ばね３４がロック部材３２、３３を図中Ｚ方向へ付勢することによって保持する。
【００４９】
また、ロック部材３２、３３と係合溝１１、１２とは、それらのロック突出部３２ａ、３３ａの先端部の一側部が係止壁１５、１８と当接して係合するように位置付けられている。
【００５０】
この係止壁１５、１８の各々は、前面パネル１を装着保持した状態での平板３が、図１（Ａ）に示す位置から図１（Ｂ）に示す位置に移動されるとき、その平板３のスライド方向（図１（Ｂ）で示す矢印方向）に働く力によってロック突出部３２、３３と係合溝１１、１２の係合状態が解除されてしまうことを防止している。つまり、各係止壁１５、１８の高さｈは、平板３の移動によってそのスライド方向に働く荷重に耐えられる高さであり、その係止壁１５、１８がロック突出部３２ａ、３３ａの一側部を係止することで、平板３から前面パネル１が使用者の意思に反して離脱されてしまうことを防止することができる。
【００５１】
このような係合がなされると、図６（Ａ）および（Ｂ）に示すように、係合壁１４に設けられた接続端子１４ａ（電源電極線（正極および負極）６１および複数の信号電極線６２）と、ロック突出部３２ａに設けられた接続端子３２ｂ（電源電極線（正極および負極）５１および複数の信号電極線５２）とが、当接され、これらの接続端子および金属多芯配線を介して前面パネル１と装置本体２とが電気的に接続されることになる。なお、他の係合壁およびロック突出部における接続端子についても、接続端子１４ａと接続端子３２ｂと同様に当接されることになる。
【００５２】
これにより、かかる接続端子等を介して装置本体２から前面パネル１に電源が供給されることになる。また、使用者が、前面パネル１に設けられた操作釦１ａにて操作指示、例えば、ＣＤ−ＲＯＭに記録された曲を再生する操作指示を与えた場合には、その操作指示に応じた電気信号が、かかる接続端子等を介して前面パネル１から装置本体２に伝送され、例えば、装置本体２から図示しないスピーカを介して、その曲が再生されることになる。
【００５３】
また、接続端子等を介して装置本体２から前面パネル１に表示すべき内容に応じた電気信号、例えば、ＣＤ−ＲＯＭに記録された曲の曲名に応じた電気信号が伝送され、ディスプレイ１ｂに表示されることになる。
【００５４】
以上説明したように本実施形態によれば、平板３に形成された被係合部３０が、前面パネル１に形成された係合部１０に係合されることにより接続端子を介して前面パネル１と装置本体２とが電気的に接続されるように構成したので、かかる係合による付勢力によって前面パネル１と装置本体２とを、接触不良を生じることなく、確実に電気的に接続することができる。従って、例えば、前面パネル１の中央部付近に反りが生じた場合であっても、前面パネル１に確実に電源を供給できるとともに、前面パネル１と装置本体２との間の電気信号の伝送を確実に行うことができる。
【００５５】
なお、上記実施形態においては、平板３の前面側の長手方向両端部に被係合部３０を形成し、また、前面パネル１の裏面側の長手方向両端部に係合部１０を形成するように構成したが、これとは反対に、平板３の前面側の長手方向両端部に係合部１０を形成し、前面パネル１の裏面側の長手方向両端部に被係合部３０を形成するように構成してもよい。
【００５６】
また、上記実施形態においては、平板３の前面側の長手方向両端部に被係合部３０を形成し、また、前面パネル１の裏面側の長手方向両端部に係合部１０を形成するように構成したが、これに限定されるものではなく、平板３および前面パネル１のどの位置に形成してもよい。つまり、前面パネル１が平板３に確実に保持することができれば、どの位置に保持機構を形成してもよい。
【００５７】
また、上記実施形態においては、装置本体２に設けられた平板３に前面パネル１を保持する構成としたが、これに限定されるものではなく、平板３を設けず、装置本体２に直接、前面パネル１を保持するように構成してもよい。この場合、前面パネル１と装置本体２の何れか一方に係合部１０を形成し、前面パネル１と装置本体２の何れか他方に被係合部３０を形成することになる。
【００５８】
なお、上記実施形態においては、係合部１０および被係合部３０の接続端子を介して電気信号が伝送されるように構成したが、別の実施形態として、係合部１０および被係合部３０の接続端子を介して装置本体２から前面パネル１に電源のみを供給するように構成してもよい。この場合、前面パネル１から装置本体２に近距離無線通信により電気信号を伝送する通信手段としての近距離無線送受信機例えば、Bluetooth送受信機を、車載用ＡＶ装置に備えるように構成する。
【００５９】
ここで、Bluetooth送受信機は、例えば、ＬＳＩ（Large-Scale Integration）を主体として構成され、近距離無線通信技術規格であるBluetoothに基づく近距離無線通信機能を有し、他のBluetooth送受信機と、近距離無線によるデータ通信を行うものである。具体的には、Bluetoothによる通信方式には、スレーブマスタ方式が適用され、処理内容に応じて、周波数ホッピングパターンを決定するマスタ機器と、マスタ機器に制御される通信相手のスレーブ機器とに別れる。そして、かかるマスタ機器は、半径約１０ｍ内に存在するスレーブ機器を認識した場合、お互いの機器が有する専用のＩＤナンバーを交換して確認した後、乱数を発生させて、当該マスタ−スレーブ機器間におけるリンクキー（暗号キー）を生成するという認証処理を行う。かかる認証処理により、当該マスタ−スレーブ機器間の接続、つまり、近距離無線通信による電気信号の伝送路が確立され、データ通信が可能となる。なお、Bluetoothによる近距離無線通ではなく、例えば、８０２．１１ｂ、ＩＥＥＥ８０２．１１ｅ等による広帯域なスループットを実現できる無線規格や、さらには、ＰｕｌｓＯＮテクノロジと呼ばれる拡散型無線通信（数年以内に１Ｇｂｐｓの通信速度を実現）等による無線規格を適用するようにしてもよい。また、赤外線による近距離無線通信を適用するようにしてもよい。
【００６０】
図７は、Bluetooth送受信機を備えた場合における車載用ＡＶ装置２００を斜め前面から見た構造の概念図であり、図１に示す車載用ＡＶ装置１００と基本的構成は同様である。
【００６１】
図７に示すように、前面パネル１の裏面側の所定位置およびそれと対応する装置本体１の前面側の位置に、Bluetooth送受信機７１および７２が設置されている。Bluetooth送受信機７１は前面パネル１の電気回路に、Bluetooth送受信機７２は装置本体２の電気回路に、それぞれ接続されており、上記にて説明した電気信号（使用者から所定の操作指示や、ディスプレイに表示すべき内容に応じた電気信号）は、このBluetooth送受信機７１および７２を介して伝送されることになる。このように構成すれば、上記実施形態と同様、保持機構と電源供給路の一体化により確実に電源を供給できるとともに、前面パネル１と装置本体２との間の電気信号の伝送を確実に行うことができる。
【００６２】
【発明の効果】
以上説明したように、本発明によれば、被係合部が係合部に係合されることにより接続端子を介して前面パネルと機器本体とが電気的に接続されるように構成したので、前面パネルに反りが生じた場合であっても、かかる係合による付勢力によって前面パネルと機器本体とを、接触不良を生じることなく、確実に電気的に接続することができる。従って、例えば、前面パネルの中央部付近に反りが生じた場合であっても、前面パネルに確実に電源を供給できるとともに、前面パネルと機器本体との間の電気信号の伝送を確実に行うことができる。
【図面の簡単な説明】
【図１】本実施形態における車載用ＡＶ装置１００を斜め前面から見た構造の概念図である。
【図２】平板３に形成された被係合部３０を示す図である。
【図３】ロック突出部３２ａに設けられた接続端子３２ｂを示す図である。
【図４】前面パネル１に形成された係合部１０を示す図である。
【図５】係合壁１４に設けられた接続端子１４ａを示す図である。
【図６】平板３に形成された被係合部３０が前面パネル１に形成された係合部１０に係合した状態を示す図である。
【図７】  Bluetooth送受信機を備えた場合における車載用ＡＶ装置２００を斜め前面から見た構造の概念図である。
【図８】従来の車載用ＡＶ装置３００を斜め前面から見た構造の概念図である
【図９】前面パネル８２に設けられたデタッチコネクタ（雄）８２ａと平板８３のデタッチコネクタ（雌）８３ａとの連結部を横から見た概念図である。
【符号の説明】
１  前面パネル
１ａ  操作釦
１ｂ  ディスプレイ
２  装置本体
３  平板
１０  係合部
１１、１２  係合溝
１３  凹部
１３ａ  側面部
１３ｂ  底面部
１４、１７  係合壁
１４ａ、１７ａ  接続端子
１４ｂ、１７ｂ  金属多芯配線
１５、１８  係止壁
１６  傾斜壁
３０  被係合部
３１  連結部
３２、３３  ロック部材
３２ａ、３３ａ  ロック突出部
３２ｂ、３３ｂ  接続端子
３２ｃ、３３ｃ  金属多芯配線
３４  ばね
３５、３６  切欠孔
３７  固定ピン
３８、３９  両端部
５１、６１  電源電極線
５２、６２  信号電極線
７１、７２  Bluetooth送受信機
１００、２００  車載用ＡＶ装置
【図１】
0003933437.tif 000002
【図２】
0003933437.tif 000003
【図３】
0003933437.tif 000004
【図４】
0003933437.tif 000005
【図５】
0003933437.tif 000006
【図６】
0003933437.tif 000007
【図７】
0003933437.tif 000008
【図８】
0003933437.tif 000009
【図９】
0003933437.tif 000010